(57)【要約】      （修正有）【課題】建物の幅と長さおよび高さを自由に調節することができ、見栄えを向上させ、組み立ておよび解体が容易であり、しかも、軽量で移動し易く、火災が鎮圧し易い組立式建物の構造を提供する。【解決手段】両側が折り曲げられた多数のコナー部材１０の終端に各コナー部材１０を互いに連結する縁部材３０を嵌入して締め付けて下骨組みＡおよび上骨組みを形成し、下骨組みＡと上骨組みの相対するコナー部材１０を互いに連結する柱部材４０を形成する。コナー部材１０および縁部材３０と柱部材４０の一方の側面には凹入溝１５、３５、４５をそれぞれ凹設して壁体５０の上下端および両側端を嵌入し、下骨組みＡは、底板１の上側に固設するとともに、上骨組みの上側には天板を形成する。【選択図】図５
0003175275.tif 000002
【実用新案登録請求の範囲】
【請求項１】
折り曲げられた両側の終端に側面嵌入口（１３）を形成し、中間部に弧状の柱嵌入口（１４）を形成し、前記柱嵌入口（１４）の両側に凹入溝（１５）を凹設して、下骨組み（Ａ）および上骨組み（Ｂ）の隅を構成する多数のコナー部材（１０）と、前記各コナー部材（１０）の側面嵌入口（１３）に一方の端を嵌入して締め付ける多数の連結部材（２０）と、前記各連結部材（２０）の他方の端に両側の終端をそれぞれ嵌入して締め付けて多数のコナー部材（１０）とを互いに連結することにより下骨組み（Ａ）および上骨組み（Ｂ）の側面縁を構成するが、前記コナー部材（１０）の凹入溝（１５）に連なる他の凹入溝（３５）を一方の側面に形成した縁部材（３０）と、前記下骨組み（Ａ）および上骨組み（Ｂ）の隅を構成する各コナー部材（１０）の相対する柱嵌入口（１４）に上下端をそれぞれ嵌入締め付けるが、両側面に前記コナー部材（１０）の凹入溝（１５）と連結される他の凹入溝（４５）を凹設した弧状の柱部材（４０）と、下骨組み（Ａ）および上骨組み（Ｂ）を構成するコナー部材（１０）と縁部材（３０）の凹入溝（１５）（３５）に下端と上端をそれぞれ嵌入し、両側端は各柱部材（４０）の凹入溝（４５）に嵌入する壁体（５０）と、前記下骨組み（Ａ）を固設する底板（１）および上骨組み（Ｂ）の上側を覆う天板（２）を形成したことを特徴とする組立式建物の構造。
【請求項２】
前記柱部材（４０）は、多数の枠体に分割して形成するが、一方の側面に前記凹入溝（４５）を凹設するとともに、他方の側面には係合溝（４３）を凹設した複数の側面枠体（４１）と、前記係合溝（４３）に対応する係合突起（４８）を両側面に形成して前記複数の側面枠体（４１）を一体化させるが、一方の面を開放した連結枠体（４６）に柱部材（４０）を分割して形成したことを特徴とする請求項１に記載の組立式建物の構造。
【請求項３】
前記壁体（５０）は、上下のいずれかの一方の端に嵌入突起（５２）を形成するとともに、他方の端に嵌入溝（５３）を凹設した多数の壁体パネル（５１）を形成して前記それぞれの壁体パネル（５１）に形成した嵌入突起（５２）と嵌入溝（５３）とを係合させることにより壁体（５０）を形成したことを特徴とする請求項１に記載の組立式建物の構造。
【請求項４】
前記壁体パネル（５１）の内部には、一方の側面が開放された空間部（５４）を形成し、前記空間部（５４）には断熱材（５５）を形成したことを特徴とする請求項３に記載の組立式建物の構造。
【考案の詳細な説明】
【技術分野】
【０００１】
本考案は組立式建物の構造に係り、さらに詳しくは、コナー部材と縁部材とを組み合わせて下骨組みおよび上骨組みを形成するが、前記下骨組みと上骨組みとの間には柱部材及び壁体を並設する一方、前記下骨組みは底板の上側に設けるとともに、上骨組みの上側には天板を形成した組立式建物を構成することにより、建物の幅と長さおよび高さを自由に調節することができ、組み立ておよび解体が容易であり、軽量であるため移動し易い組立式建物の構造に関する。
【背景技術】
【０００２】
一般に、臨時的に使われる仮建物や、公園のチケット売り場、建設現場の現場事務室、倉庫などには簡易建物を主として設けて使用しており、上述したような簡易建物は、ほとんどコンテナーボックスを改造して使用したり、サンドイッチパネルを用いて簡易建物を設けていた。
【０００３】
しかしながら、上述した従来の簡易建物は、種々の問題点があるが、コンテナーボックスを改造した場合には簡易建物の幅と長さおよび高さを自由に調節することができず、全ての構成要素が既に一体に形成されていることにより、組み立ておよび解体が実質的に不可能であるだけではなく、重量であるため移動し難い結果、設置場所に多くの制約があった。
【０００４】
また、サンドイッチパネルを用いた簡易建物の場合に、簡易建物の幅と長さおよび高さを自由に調節することができるのに対し、小型の簡易建物において別途の柱や枠体などの骨組みを必要としないサンドイッチパネルの特性から、パネルの厚さが厚過ぎるとともに、単一パネルが大き過ぎて窓やチケット売り口などを形成することが困難であり、一方で、発泡スチロールの両側に金属板を付け当てた構成によって火災の際にその鎮圧が困難であるという問題点があった。
【０００５】
さらに、前記コンテナーを改造した簡易建物と、サンドイッチパネルを用いた簡易建物の両方においては、見栄えが悪いため、周辺環境を阻害する要素となっていた。
【考案の概要】
【考案が解決しようとする課題】
【０００６】
本考案は上述した従来の簡易建物の問題点を解消するためになされたものであり、その目的は、簡易建物の幅と長さおよび高さを自由に調節することができ、組み立ておよび解体が容易に行われるとともに、軽量で運び易い結果、設置場所の制約を受けず、窓やチケット売り口などを容易に形成することができるとともに、一方で、火災の際にそれが鎮圧し易い組立式建物の構造を提供するところにあり、コナー部材と縁部材とを組み合わせて下骨組みおよび上骨組みを形成するが、前記下骨組みと上骨組みとの間には柱部材および壁体を並設するとともに、前記上下骨組みを天底板によりそれぞれ覆った組立式建物を構成する。
【課題を解決するための手段】
【０００７】
上記の目的を達成するための本考案に係る組立式建物の構造は、折り曲げられた両側の終端に側面嵌入口を形成し、中間部に弧状の柱嵌入口を形成し、前記柱嵌入口の両側に凹入溝を凹設して、下骨組みおよび上骨組みの隅を構成するようにした多数のコナー部材と、前記各コナー部材の側面嵌入口に一方の端を嵌入して締め付ける多数の連結部材と、前記各連結部材の他方の端に両側の終端をそれぞれ嵌入して締め付けて多数のコナー部材が互いに連結されるようにすることにより下骨組みおよび上骨組みの側面縁を構成するが、前記コナー部材の凹入溝に連なる他の凹入溝を一方の側面に形成した縁部材と、前記下骨組みおよび上骨組みの隅を構成する各コナー部材の相対する柱嵌入口に上下端をそれぞれ嵌入締め付けるが、両側面に前記コナー部材の凹入溝と連結される他の凹入溝を凹設した弧状の柱部材と、下骨組みおよび上骨組みを構成するコナー部材と縁部材の凹入溝に下端と上端をそれぞれ嵌入し、両側端は各柱部材の凹入溝に嵌入する壁体と、前記下骨組みを固設する底板および上骨組みの上側を覆う天板を形成したことを特徴とする。
【０００８】
また、本考案は、前記柱部材を多数の枠体に分割形成して組み立てるようにした組立式建物の構造と、前記壁体を多数の壁体パネルに分割して組み立てるようにした組立式建物の構造と、前記壁体パネルの内部に一方の側が開放された空間部を形成して前記空間部に断熱材を形成した組立式建物の構造と、に付加的な特徴がある。
【考案の効果】
【０００９】
このように構成された本考案に係る組立式建物の構造によれば、所望の長さに切断して使用可能な縁部材と、柱部材をコナー部材に組み付けて一体の骨格を形成することにより、組立式建物の幅と長さおよび高さを自由に調節することができるだけではなく、組み立ておよび解体が容易であり、軽量であるため運び易い結果、設置場所の制約を受けないという効果がある。なお、多数の壁体パネルを組み立てて壁体を形成することにより、窓やチケット売り口などを容易に形成することができるとともに、見栄えを向上させることができ、壁体パネルの空間部に断熱材を形成するが、前記空間部の一方の側を開放することにより、火災の際にそれが鎮圧し易いという効果がある。
【図面の簡単な説明】
【００１０】
【図１】本考案に係る組立式建物の構造を示す斜視図。
【図２】本考案に係る組立式建物の上下骨組みを示す分解斜視図。
【図３】本考案に係る組立式建物の柱部材を示す分解斜視図。
【図４】本考案の一実施形態による柱部材を示す横断面図。
【図５】本考案に係る組立式建物の壁体パネルを示す分解斜視図。
【図６】本考案の一実施形態による壁体パネルを示す縦断面図。
【考案を実施するための形態】
【００１１】
以下、添付図面に基づき、本考案の好適な実施形態による組立式建物の構造を詳述する。
【００１２】
まず、図１に基づき、本考案に係る組立式建物の構造を説明すると、本考案は、コナー部材１０と縁部材３０を組み合わせて下骨組みＡおよび上骨組みＢを形成するが、前記下骨組みＡは底板１の上側に強固に固設し、上骨組みＢの上側には天板２を設け、前記下骨組みＡと上骨組みＢとの間には柱部材４０を形成するとともに、それぞれ柱部材４０の間には壁体５０を設ける。
【００１３】
上述した如き組立式建物における下骨組みＡおよび上骨組みＢを構成するコナー部材１０と縁部材３０の構成を、図２に基づいて詳述すれば、下骨組みＡおよび上骨組みＢの隅を構成するコナー部材１０は、両側が９０°をなすように緩やかに折り曲げるが、折り曲げたコナー部材１０の両側の終端には側面嵌入口１３をそれぞれ形成し、コナー部材１０の中間部の一方の側面には弧状の柱嵌入口１４を形成し、前記柱嵌入口１４を形成した一方の側面の両側には凹入溝１５をそれぞれ凹設する。一方、このように構成されたコナー部材１０の側面嵌入口１３には、前記側面嵌入口１３の内周面に対応する形状に外周面を形成した連結部材２０の一方の端を嵌入して直結ピース６０などの通常の締付手段により強固に締め付ける。
【００１４】
また、前記下骨組みＡおよび上骨組みＢの側面縁を構成する縁部材３０の構成を説明すると、前記縁部材３０は中空管体であり、コナー部材１０に一方の端を嵌入して締め付けた各連結部材２０の他方の端に両側の終端をそれぞれ嵌入して締め付けることにより、結果的に下骨組みＡと上骨組みＢに形成した各コナー部材１０の両側端を互いに連結することにより、下骨組みＡと上骨組みＢの側面縁を構成するようにするが、各縁部材３０の一方の側面には前記コナー部材１０の凹入溝１５に連なる他の凹入溝３５を凹設する。一方、前記縁部材３０は、長く連続する縁部材３０をユーザーが所望の長さだけ切り取って使ってもよいことはもちろんであり、前記連結部材２０を用いて多数の縁部材３０を係合して長く伸ばして使用してもよい。
【００１５】
図１および図３に基づき、柱部材４０の構成を説明すると、柱部材４０は、その横断面を弧状に形成して柱部材４０の上下端が下骨組みＡおよび上骨組みＢの隅を構成する各コナー部材１０の相対する柱嵌入口１４にそれぞれ嵌入されて締め付けられるようにするが、前記柱部材４０の両側面には前記コナー部材１０の凹入溝１５と連結される他の凹入溝４５を凹設する。
【００１６】
一方、前記柱部材４０は、多数の枠体に分割形成して組み立てることが好ましいが、図３および図４に示すように、一方の側面にコナー部材１０の凹入溝１５と連結される他の凹入溝４５を凹設するが、他方の側面には台形係合溝４３を凹設した複数の側面枠体４１と、前記係合溝４３に対応する形状の係合突起４８を両側面に形成して前記複数の側面枠体４１を一体化させるが、一方の側面を開放した連結枠体４６に分割して形成することにより、コナー部材１０の柱嵌入口１４に柱部材４０を嵌入するに当たって、連結枠体４６の弾性によってその作業が一層容易に行われるだけではなく、柱部材４０の押出と運搬および保管を容易に行うことができる。
【００１７】
図１および図５に基づき、壁体５０の構成を説明すると、壁体５０の下端および上端はは下骨組みＡおよび上骨組みＢを構成するコナー部材１０と縁部材３０の凹入溝１５、３５にそれぞれ嵌入し、壁体５０の両側端は各柱部材４０の凹入溝４５に嵌入する。
【００１８】
一方、前記壁体５０は、図５および図６に示すように、多数の壁体パネル５１を組み立てて形成するとともに、各壁体パネル５１には断熱材５５を含めることが好ましいが、壁体パネル５１の上下のいずれか一方の端に嵌入突起５２を形成し、他方の端には嵌入溝５３を凹設してそれぞれの壁体パネル５１に形成した嵌入突起５２と嵌入溝５３とを係合させることにより、壁体５０を形成するが、前記壁体パネル５１の内部には一方の側が開放された空間部５４を形成し、前記空間部５４には断熱材５５を嵌入する。
【００１９】
図中の未説明符号「６」は、底板１に形成した補強枠体６であり、「７」および「８」は、壁体５０に形成した出入り口７と窓８であり、図示はしないが、下骨組みＡまたは上骨組みＢには、組立式建物を移動し易くするように牽引孔（図示せず）や牽引輪（図示せず）を形成することが好ましい。
【００２０】
以下、本考案に係る組立式建物の作用を説明すると、連結部材２０の両側端を多数のコナー部材１０と縁部材３０にそれぞれ嵌入して締め付けて下骨組みＡと上骨組みＢを形成するが、下骨組みＡは底板１の上側に強固に固設し、上骨組みＢの上側には天板２を設け、前記下骨組みＡの各コナー部材１０に形成した柱嵌入口１４には側面枠体４１と連結枠体４６を係合させた柱部材４０を嵌入するとともに、コナー部材１０と縁部材３０および柱部材４０の凹入溝１５、３５、４５に多数の壁体パネル５１から構成される壁体５０を嵌め込んで組み立てた後、天板２付き上骨組みＡを前記柱部材４０および壁体５０の上端に強固に組み付けることにより、組立式建物を簡単に組み立てることができる。
【００２１】
このとき、縁部材３０または柱部材４０を所望の長さに切断したり継ぎ合わせることにより、組立式建物の幅と長さおよび高さを自由に調節することができるだけではなく、軽量であるため解体および運搬し易い結果、設置場所に制約を受けず、多数の壁体パネル５１を組み立てて壁体５０を形成することにより、出入り口７や窓８などを容易に形成することができるとともに、見栄えを向上させることができ、一方で、断熱材５５付き壁体パネル５１の空間部５４の一方の側が開放されて、火災の際にそれが鎮圧し易くなる。
【符号の説明】
【００２２】
１：底板、
２：天板、
１０：コナー部材、
１３：側面嵌入口、
１４：柱嵌入口、
１５、３５、４５：凹入溝、
２０：連結部材、
３０：縁部材、
４０：柱部材、
４１：側面枠体、
４３：係合溝、
４６：連結枠体、
４８：係合突起、
５０：壁体、
５１：壁体パネル、
５２：嵌入突起、
５３：嵌入溝、
５４：空間部、
５５：断熱材、
Ａ：下骨組み、
Ｂ：上骨組み、
【図１】
0003175275.tif 000003
【図２】
0003175275.tif 000004
【図３】
0003175275.tif 000005
【図４】
0003175275.tif 000006
【図５】
0003175275.tif 000007
【図６】
0003175275.tif 000008